(57)【要約】【課題】本発明は、負荷に関わる電器イベントを監視する電源ソケット及び電器イベント検出方法を提供する。【解決手段】電源ソケットは、電源信号センサーと、前端信号フィルタと、マイクロプロセッサと、メモリと、を備え、電源信号センサーが負荷電器イベントによる電源信号に対して検知を行い、検知結果によって検知信号を生じ、前端信号フィルタが信号濾過準則に応じて、検知信号に対して選別を行って、検知信号を除去し又は保留するかを決定し、マイクロプロセッサが保留された検知信号に対して分析・識別を行い、電器イベントのデフォルトの組み合わせに対応するかどうかを判断する。マイクロプロセッサは、検知信号が電器イベントの組み合わせに対応すると判断する場合、電源ソケットが制御作動を実行するように対応して命令する。【選択図】図１
2015130778.tif 000002
【特許請求の範囲】
【請求項１】
負荷に関わる少なくとも１つの電器イベントを監視する電源ソケットであって、
前記電器イベントによる電源信号に対して検知を行い、検知結果によって少なくとも１つの検知信号を生じる電源信号センサーと、
信号濾過準則に応じて、前記検知信号に対して選別を行って、前記検知信号を除去し又は保留するかを決定する前端信号フィルタと、
保留された前記検知信号に対して分析・識別を行い、保留された前記検知信号が電器イベントのデフォルトの組み合わせに対応するかどうかを判断し、検知信号が電器イベントの組み合わせに対応すると判断する場合、前記電源ソケットが制御作動を実行するように対応して命令するマイクロプロセッサと、
前記マイクロプロセッサに電気的に接続されるメモリと、
を備える電源ソケット。
【請求項２】
前記電源信号センサーに電気的に接続され、アナログ式の前記検知信号をデジタル式の前記検知信号に変換するアナログデジタルコンバータを更に備える請求項１に記載の電源ソケット。
【請求項３】
保留された前記検知信号を保存する電器イベントデータベースを更に備える請求項１または２に記載の電源ソケット。
【請求項４】
前記信号濾過準則を保存して、前記前端信号フィルタが前記信号濾過準則に応じて、前記検知信号に対して選別を行い、前記検知信号を除去し又は保留するかを決定することに寄与する前端濾過データベースを更に備える請求項１から３の何れか１項に記載の電源ソケット。
【請求項５】
前記メモリに保存され、前記マイクロプロセッサによって実行されて、保留された前記検知信号から、少なくとも１つの被験特性値を抽出する特性値抽出モジュールと、
前記電器イベントのデフォルトの組み合わせに対応する特性データを保存する特性値データベースと、
前記メモリに保存され、前記マイクロプロセッサによって実行されて、前記被験特性値が前記電器イベントのデフォルトの組み合わせに対応するかどうかを比較するイベント比較モジュールと、
を更に備える請求項１から４の何れか１項に記載の電源ソケット。
【請求項６】
前記被験特性値とは、前記負荷に関わる前記電器イベントの実効電力、仮想電力、実効値、調波、電圧特性、電流特性の少なくとも１つである請求項５に記載の電源ソケット。
【請求項７】
前記メモリに保存され、複数のイベント処理ルールを記憶するイベント処理ルールモジュールと、
前記メモリに保存され、前記マイクロプロセッサによって実行され、前記被験特性値が前記電器イベントのデフォルトの組み合わせに対応する場合、前記複数のイベント処理ルールに応じて前記電源ソケットが前記制御作動を実行するように対応して命令するイベント処理実行モジュールと、
を更に備える請求項５または６に記載の電源ソケット。
【請求項８】
リモートサービスプラットフォーム（Ｓｅｒｖｉｃｅ  Ｐｌａｔｆｏｒｍ）に連結されてデータ伝送を行う周辺インタフェース装置と、
前記メモリに保存され、前記マイクロプロセッサによって実行され、前記周辺インタフェース装置を通じて、データを前記特性値データベース、又は前記イベント処理ルールモジュールにダウンロードするダウンロードモジュールと、
前記メモリに保存され、前記マイクロプロセッサによって実行され、前記周辺インタフェース装置を通じて、保留された前記検知信号を前記リモートサービスプラットフォームにアップロードするアップロードモジュールと、
を更に備える請求項７に記載の電源ソケット。
【請求項９】
前記メモリに保存され、前記マイクロプロセッサによって実行され、前記イベント処理実行モジュールに制御されて警告動作を実行し、前記周辺インタフェース装置を通じて、通信情報を前記リモートサービスプラットフォームに伝送する警告モジュールを更に備える請求項８に記載の電源ソケット。
【請求項１０】
負荷に関わる少なくとも１つの電器イベントによる少なくとも１つの電源信号に対して検知を行う工程と、
信号濾過準則に応じて、前記電源信号の対応する検知信号に対して選別を行って、前記検知信号を除去し又は保留するかを決定する工程と、
保留された前記検知信号に対して分析・識別を行い、保留された前記検知信号が電器イベントのデフォルトの組み合わせに対応するかどうかを判断する工程と、
前記検知信号が前記電器イベントのデフォルトの組み合わせに対応すると判断する場合、電源ソケットが制御作動を実行するように命令する工程と、
前記検知信号が前記電器イベントのデフォルトの組み合わせに対応していないと判断する場合、作動しない工程と、
を含む電器イベント検出方法。
【請求項１１】
前記検知信号が前記電器イベントのデフォルトの組み合わせに対応する場合、複数のイベント処理ルールの１つに応じて前記電源ソケットが前記制御作動を実行するように命令する工程を更に含む請求項１０に記載の電器イベント検出方法。
【請求項１２】
保留された前記検知信号から、少なくとも１つの被験特性値を抽出した後で、前記被験特性値が前記電器イベントのデフォルトの組み合わせに対応するかどうかを比較して、分析・識別を実行する請求項１１に記載の電器イベント検出方法。
【請求項１３】
前記電器イベントのデフォルトの組み合わせは、通常のファン起動、所定のファン起動、電灯起動、電子製品充電、電子調理器具起動、除湿器起動、クーラ起動、ヒーター起動の少なくとも１つを含む請求項１１または１２に記載の電器イベント検出方法。
【請求項１４】
前記信号濾過準則、前記複数のイベント処理ルール、前記電器イベントのデフォルトの組み合わせの関連情報、ハードウェア配置、ソフトウェア設定、ファームウェア設定、ビット列の少なくとも１つをダウンロードする工程と、
ネットワーを通じてク前記信号濾過準則、前記複数のイベント処理ルール、前記電器イベントのデフォルトの組み合わせの関連情報、ハードウェア配置、ソフトウェア設定、ファームウェア設定、ビット列の少なくとも１つを、リモートサービスプラットフォームにアップロードする工程と、
を更に含む請求項１１から１３の何れか１項に記載の電器イベント検出方法。
【発明の詳細な説明】
【技術分野】
【０００１】
本発明は、電器イベントに関し、特に、電器イベントの検出と識別に関する。
【背景技術】
【０００２】
科学技術の発展と進歩につれて、様々な電器製品がますます多くなる。これらの電器製品は、それぞれの電気特性を持ち、ある製品は、少しばかりの電力で動作可能となるが、ある製品は、大量の電力でしか運転しない。電器製品は様々な種類があるので、電器の使用を如何に最適な効果に達させるかは、エネルギーの消費及び環境保護という問題に関わるだけでなく、また、電器の正確な使用と操作も安全に密接に関わる。従って、ある管理機構は、異なる電源ソケットに対して対応する安全規範基準を提出して、これらの電源ソケットによって電器製品の使用を制限することが望まれている。
【０００３】
従来の電源ソケットは、簡単な閾値電力の制限及び使用時間の制御を提供して、電源ソケットのスイッチの状態を管理することができる。例えば、使用者又は管理者は、電源ソケットの提供した電源の大きさ又は使用時間を指定することができる。電源ソケットに取り付けられた電器により消費される電力又は使用時間が閾値を超えると、電源ソケットは、災害が発生しないようにするために、警告を発し又は自動的に電源を切ることがある。しかしながら、このような電源管理方式としては、依然として不十分であり、多くの危ない電器設備が依然として密入国して使用される可能性があり、電力安全の死角となる。
【０００４】
一方、非侵入型負荷検出（Ｎｏｎｉｎｔｒｕｓｉｖｅ  Ｌｏａｄ  Ｍｏｎｉｔｏｒｉｎｇ；ＮＩＬＭ）は、非侵入型電器負荷検出（Ｎｏｎｉｎｔｒｕｓｉｖｅ  Ａｐｐｌｉａｎｃｅ  Ｌｏａｄ  Ｍｏｎｉｔｏｒｉｎｇ；ＮＩＡＬＭ）とも呼ばれ、２０世紀８０年代でマサチューセッツ工科大学により開発され、この技術では、１つの電力計だけで、電器の特性によって、電器回路における家電の使用状況及びエネルギー消費状態に対して分析を行うことができる。電器の特性とは、電器設備がオン／オフにされ、又は状態が変わる時に、電圧及び電流波形の発生可能な変化である。
【発明の概要】
【発明が解決しようとする課題】
【０００５】
しかしながら、従来の非侵入型負荷検出装置としては、依然として不足がある。同一の電力回路で大量の同質又は異質の電器操作がある場合、分析／識別できる電器イベントがわずかしかなくなり、分析／識別動作の実行効率も不十分となり、これらの不足は、何れも更に改善される必要がある。
【課題を解決するための手段】
【０００６】
従って、本発明は、単一の電源ソケット及びソケット上の電器に対して検出を行い、プログラム可能な方式を提供して管理者により注意された電器イベント及び対応する電器イベントの処理動作を設定し、より効果的、より弾性的な方式で電器設備の使用を規範に合わせる、新しい電源ソケット及び電器イベント検出方法を提出する。
【０００７】
本発明の一実施例によると、電源ソケットは、負荷に関わる少なくとも１つの電器イベントを監視することに用いられる。この電源ソケットは、電源信号センサーと、前端信号フィルタと、マイクロプロセッサと、メモリと、を含有する。電源信号センサーは、電器イベントによる電源信号に対して検知を行い、検知結果によって少なくとも１つの検知信号を生じる。前端信号フィルタは、信号濾過準則に応じて、検知信号に対して選別を行って、検知信号を除去し又は保留するかを決定する。マイクロプロセッサは、保留された検知信号に対して分析・識別を行い、保留された検知信号が電器イベントのデフォルトの組み合わせに対応するかどうかを判断する。マイクロプロセッサは、検知信号が電器イベントの組み合わせに対応すると判断する場合、電源ソケットが制御作動を実行するように対応して命令する。メモリは、マイクロプロセッサに電気的に接続される。
【０００８】
本発明の別の実施例によると、電器イベント検出方法では、少なくとも１つの負荷に関わる少なくとも１つの電器イベントによる少なくとも１つの電源信号に対して検知を行い、信号濾過準則に応じて、電源信号の対応する検知信号に対して選別を行って、検知信号を除去し又は保留するかを決定し、保留された検知信号に対して分析・識別を行い、保留された検知信号が電器イベントのデフォルトの組み合わせに対応するかどうかを判断し、検知信号が電器イベントのデフォルトの組み合わせに対応すると判断する場合、電源ソケットが制御作動を実行するように命令し、検知信号が電器イベントのデフォルトの組み合わせに対応していないと判断する場合、作動しない。
【発明の効果】
【０００９】
上記の実施例の電源ソケット及び電器イベント検出方法としては、まず、前端信号フィルタによって信号濾過準則に応じて一部の電器イベントを除去することができ、マイクロプロセッサによりこれらの除去された電器イベントに対して処理を行う必要がないため、マイクロプロセッサの負担を軽くし、識別効率を向上させる。また、設定と更新によって、管理者が自分で信号フィルタ、信号濾過準則、電器信号データベース、電器イベントのデフォルトの組み合わせ及び対応する処理動作を設定してよく、管理者による所定の電器と電器イベントへの処理効率と柔軟性を向上させることができる。
【図面の簡単な説明】
【００１０】
【図１】本発明の第１実施例の電源ソケットの構造を示す模式ブロック図である。
【図２】本発明の第１実施例の電源ソケットのソフトウェア構成を示すブロック図である。
【図３】本発明の第２実施例の表示装置を示す模式図である。
【図４Ａ】本発明の第３実施例の電器イベント検出方法を示す部分フロー図である。
【図４Ｂ】本発明の第３実施例の電器イベント検出方法を示す別の部分のフロー図である。
【図４Ｃ】本発明の第３実施例の電器イベント検出方法を示す残りの部分のフロー図である。
【発明を実施するための形態】
【００１１】
下記の実施例の電源ソケット及び電器イベント検出方法としては、まず、信号フィルタと信号濾過準則に応じて一部の電器イベントを除去することができ、マイクロプロセッサによりこれらの除去された電器信号に対して処理を行う必要がないため、マイクロプロセッサの負担を軽くし、識別効率を向上させる。また、管理者により自分で設定された電器イベントのデフォルトの組み合わせを通じるだけで、管理者により注意された電器イベントに対して分析・検出を行うことができ、識別可能な電器種類及び対応する電器イベントの反応の何れもに対して、変更と更新を行い、使用上の柔軟性と拡充能力を向上させることができる。
【００１２】
図１は、本発明の第１実施例の電源ソケットを示す模式ブロック図である。電源ソケット１００は、電源供給端１０１と負荷電器設備１１５との間に設けられ、電源を伝達し、負荷電器設備１１５の状態を監視する責任を負う。この電源は、交流電源又は直流電源であってよい。電源ソケット１００は、負荷に関わる電器イベント（Ａｐｐｌｉａｎｃｅ  Ｌｏａｄ  Ｅｖｅｎｔ）に対して監視を行うことができる。ここで言われる負荷に関わる電器イベントとは、いずれかの電力を消費する可能性のあるイベント、例えば、通常のタイプのファン起動、所定のタイプのファン起動、電灯起動、電子製品充電、電子調理器具起動、除湿器起動、クーラ起動、ヒーター起動、又は他の電器のオン／オフを指す。安全、経済的な考慮、又は行政管理の考慮のために、システム管理者は、電源ソケット１００を通じて電器操作に対して監視と管制を行って、今用いられている電器装置を把握し、電器装置の使用に対して評価と処分をする必要がある。
【００１３】
電源ソケット１００は、電源信号（電圧と電流を含む）センサー（Ｖｏｌｔａｇｅ  ａｎｄ  Ｃｕｒｒｅｎｔ  Ｓｅｎｓｏｒ）１０３と、前端信号フィルタ（Ｐｒｏｇｒａｍｍａｂｌｅ  Ｆｒｏｎｔ-ｅｎｄ  Ｓｉｇｎａｌ  Ｆｉｌｔｅｒ）１０７と、マイクロプロセッサ（Ｍｉｃｒｏｐｒｏｃｅｓｓｏｒ）１１１と、マイクロプロセッサ１１１に接続されるメモリ１０９と、を含有する。電源信号センサー１０３は、電器操作による電源信号に対して検知を行い、検知結果によって検知信号又は他の信号を生じる。誘発された電源信号は、電流波形信号、電圧波形信号、延いては声、温度、電磁波等の信号である可能性がある。アナログデジタルコンバータ１０５は、電源信号センサー１０３に接続され、誘発された電源信号がアナログ式である場合、アナログ式の検知信号をデジタル式の検知信号に変換する。
【００１４】
前端信号フィルタ１０７は、信号濾過準則に応じて、検知信号に対して選別を行い、検知信号を除去し又は保留するかを決定する。前端信号フィルタ１０７は、例えばデジタル信号プロセッサ（Ｄｉｇｉｔａｌ  Ｓｉｇｎａｌ  Ｐｒｏｃｅｓｓｏｒ；ＤＳＰ）と対応するファームウェア（Ｆｉｒｍｗａｒｅ）、フィールドプログラマブルゲートアレイ（Ｆｉｅｌｄ  Ｐｒｏｇｒａｍｍａｂｌｅ  Ｇａｔｅ  Ａｒｒａｙ；ＦＰＧＡ）、又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ；ＡＳＩＣ）のようなハードウェア回路によって実行されることができる。
【００１５】
信号フィルタと信号濾過準則は、もともと電源ソケット１００に内蔵され、又はネットワークを通じてオンラインでダウンロード更新を行うことができる。信号フィルタと信号濾過準則で、信号に対して検出を行う必要がない状況を規範に合わせる。例えば、前端信号フィルタ１０７が電力に対して検出を行うことができ、信号濾過準則が消費電力の下限を規範に合わせることができる。負荷に関わる電器イベントにより消費された電力が信号濾過準則で規範に合う消費電力の下限よりも低い場合、この検知信号を無視することができ、マイクロプロセッサ１１１は、この検知信号に対してさらなる分析・比較を行う必要がなく、不必要な消費電力を削減することができる。
【００１６】
マイクロプロセッサ１１１は、保留された検知信号に対して分析・識別を行い、保留された検知信号が電器イベントのデフォルトの組み合わせに対応するかどうかを判断する。前述したように、検知信号が何れも除去される場合、マイクロプロセッサ１１１は、分析・識別を停止し、不必要な消費電力を削減する。電器イベントのデフォルトの組み合わせは、通常のファン起動、所定のファン起動、電灯起動、電子製品充電、電子調理器具起動（例えば加熱用の電気スプーン）、除湿器起動、クーラ起動、ヒーター起動等の電力エネルギーを消費するイベントを含んでよい。マイクロプロセッサ１１１は、分析・識別を行う場合、主に保留された検知信号から、被験特性値を抽出する（Ｓｉｇｎａｔｕｒｅ  Ｅｘｔｒａｃｔｉｏｎ）。
【００１７】
電源ソケット１００は、周辺インタフェース装置１１３を更に備える。この周辺インタフェース装置１１３は、リモートサービスプラットフォーム（Ｓｅｒｖｉｃｅ  Ｐｌａｔｆｏｒｍ）１１７に連結されてデータ伝送を行い、例えば、リモートサービスプラットフォーム１１７にオンラインして信号濾過準則をダウンロードする。この周辺インタフェース装置１１３は、ワイヤレスローカルエリアネットワーク（Ｗｉｒｅｌｅｓｓ  Ｌｏｃａｌ  Ａｒｅａ  Ｎｅｔｗｏｒｋ；ＷＬＡＮ）装置、イーサネット（登録商標）（Ｅｔｈｅｒｎｅｔ（登録商標））装置、３Ｇネットワーク装置、又は４Ｇネットワーク装置であってよい。
【００１８】
図２は、本発明の第１実施例の電源ソケットのソフトウェア構成を示すブロック図である。電器信号データベース１２１は、保留された検知信号を保存することに用いられる。これらの保留された検知信号が周辺インタフェース装置を通じてリモートサービスプラットフォームにアップロードされて、他の使用者とこれらの検知信号を分かち合い、他の使用者による参考に寄与することができる。前端濾過データベース１１９は、前端信号フィルタのハードウェア配置、前端信号フィルタのソフトウェア設定、前端信号濾過準則のレコードファイル、前端信号フィルタのファームウェア設定（例えばプログラムのビット列のレコードファイル）等の少なくとも１つを含む前端信号フィルタの設定及び前端信号濾過準則の設定を保存して、前端信号フィルタ１０７に対して設定を行う。これらの設定は、内蔵され又はネットワークを通じてダウンロードされることができる。
【００１９】
ソフトウェアモジュール２００は、主にマイクロプロセッサによって実行され、主に特性値抽出モジュール（Ｓｉｇｎａｔｕｒｅ  Ｅｘｔｒａｃｔｉｎｇ  Ｍｏｄｕｌｅ）２０１、特性値データベース２０７（Ｅｖｅｎｔ  Ｓｉｇｎａｔｕｒｅ  Ｄａｔａｂａｓｅ）及びイベント比較モジュール２０３が内蔵する。
【００２０】
特性値抽出モジュール２０１は、メモリに保存され、マイクロプロセッサによって実行されて、保留された検知信号から、被験特性値を抽出する。被験特性値とは、負荷電器イベントの実効電力、仮想電力、実効値、調波、電圧特性、電流特性の少なくとも１つである。例としては、被験特性値は、電流の向上速度、電圧の向上速度、延いてはリップル（Ｒｉｐｐｌｅ）特性であってよい。特性値データベース２０７は、電器イベントのデフォルトの組み合わせに対応するデータを保存し、これらの電器イベントのデフォルトの組み合わせが初期で特性値データベース２０７に内蔵され、又はネットワークによって特性値データベース２０７にダウンロードされ保存されることができる。イベント比較モジュール２０３は、メモリに保存され、マイクロプロセッサによって実行され、被験特性値が電器イベントのデフォルトの組み合わせに対応するかどうかを比較する。
【００２１】
特性値の組み合わせが
2015130778.tif 000003
であって、
2015130778.tif 000004
は、第ｉイベントの１つ目の特性値を表すと、特性値データベース２０７は、前記電源ソケットの設定処理イベントの特性値及び特性値の類似度の比較関数
2015130778.tif 000005
を保存し、
2015130778.tif 000006
は、第ｉイベントの１つ目の特性値及びデータベースで設定される第ｊ個の電器の１つ目の特性値の類似度を表し、
2015130778.tif 000007
を満たす。第ｉイベントの特性値データ、即ち、
2015130778.tif 000008
を第ｊ個の電器類似度の関数に入力した後、全ての特性値を組み合わせて、
2015130778.tif 000009
が得られ、
2015130778.tif 000010
は、特性値Ｋの重要因子（Ｉｍｐｏｒｔａｎｔ  Ｆａｃｔｏｒ）である）が得られる。
【００２２】
ソフトウェアモジュール２００は、イベント処理ルールモジュール（Ｅｖｅｎｔ  Ｈａｎｄｌｉｎｇ  Ｒｅｇｕｌａｔｉｏｎ  Ｍｏｄｕｌｅ）２０９と、イベント処理実行モジュール（Ｅｖｅｎｔ  Ｈａｎｄｌｉｎｇ  Ｍｏｄｕｌｅ）２０５と、を更に含む。イベント処理ルールモジュール２０９は、メモリに保存されて、複数のイベント処理ルールを記憶する。これらのイベント処理ルールは、初期でイベント処理ルールモジュール２０９に内蔵され、又はネットワークによってイベント処理ルールモジュール２０９にダウンロードされ保存されることができる。イベント処理実行モジュール２０５は、メモリに保存され、マイクロプロセッサによって実行される。被験特性値が電器イベントのデフォルトの組み合わせに対応する場合、マイクロプロセッサは、電源ソケットが制御作動を実行するように対応して命令し、例えば、イベント処理実行モジュール２０５がイベント処理ルールに応じて負荷電器イベントに対して処分を行うように促す。
【００２３】
警告モジュール２１３も、メモリに保存され、マイクロプロセッサによって実行される。この警告モジュール２１３は、イベント処理実行モジュール２０５に制御されて警告動作を実行する。警告モジュール２１３は、警告を鳴らし又は電源をオフにして使用者又は管理者に警告を発す。更には、警告モジュール２１３は、周辺インタフェース装置１１３を通じて、通信情報をリモートサービスプラットフォームに伝送して、リモートサービスプラットフォームにより後続処理を行うことに寄与することができる。
【００２４】
ダウンロードモジュール２１１とアップロードモジュール２１５は、何れもメモリに保存され、マイクロプロセッサによって実行される。ダウンロードモジュール２１１は、周辺インタフェース装置１１３を通じてデータを特性値データベース２０７又はイベント処理ルールモジュール２０９にダウンロードする。アップロードモジュール２１５は、周辺インタフェース装置１１３を通じて、保留された検知信号又は他の分かち合う必要のある情報を、リモートサービスプラットフォームにアップロードする。
【００２５】
図３は、本発明の第２実施例の表示装置を示す模式図である。表示装置３０１は、電源ソケットの関連情報を表示する。例としては、表示装置３０１は、電器設備の現在の消費電力のワット数、及び例えば給湯器、クーラ／ヒーター、除湿器、電気スプーン、オーブン等のような現在使用されている設備のリストを表示することができる。表示装置３０１は、使用者と管理者により入力された様々な設定を受信するためのタッチスクリーンであってもよい。
【００２６】
図４Ａは、本発明の第３実施例の電器イベント検出方法を示す部分フロー図である。電器イベント検出方法では、電器操作による電源信号に対して検知を行い、関連情報をダウンロード更新するかどうかを選択することができる（工程４０１）。例えば、信号フィルタと信号濾過準則は、最初に内蔵され、又は工程４０１でダウンロードし更新されることができる。次に、信号フィルタにより信号濾過準則に応じて、電源信号の対応する検知信号に対して選別を行った後で（工程４０３）、検知信号を除去し又は保留するかを決定する（工程４０５）。次に、保留された検知信号に対して分析・識別を行い（工程４０７）、保留された検知信号が電器イベントのデフォルトの組み合わせに対応するかどうかを判断する（工程４０９）。保留された検知信号が電器イベントのデフォルトの組み合わせに対応すると、続いて複数のイベント処理ルールに応じて処分を行い（工程４１１）、更に周辺インタフェース装置を通じて通信情報を伝送することもできる（工程４１３）。
【００２７】
図４Ｂは、本発明の第３実施例の電器イベント検出方法を示す別の部分のフロー図である。図４Ｂの工程は、図４Ａの工程４１３に続く。工程４１５で、データベースを分かち合うかどうかを決定する。データベースを分かち合うと決定すると、データベースに（例えば、電器イベントのデータベース）保存されたデータをリモートサービスプラットフォームにアップロードする（工程４１７）。例としては、ネットワークを通じて、データベースでに保存された信号フィルタ、信号濾過準則、イベント処理ルール、電器イベントのデフォルトの組み合わせの関連情報、ハードウェア配置、ソフトウェア設定、ファームウェア設定（プログラムのビット列の形式で保存される）等を、リモートサービスプラットフォームにアップロードすることができる。工程４１７の後、工程４１９で後続処理を続けて行う。前記アップロードされたデータは、管理者が将来調整し又は更新する時に参考用とするために、リモートサービスプラットフォームに保存され、これにより、本発明の開示した電源ソケットの適用性及び電器イベント検出方法の判断の正確性を向上させる。
【００２８】
図４Ｃは、本発明の第３実施例の電器イベント検出方法を示す残りの部分のフロー図である。図４Ｃの工程は、図４Ａの工程４１３に続く。工程４２１で、例えば前端濾過データベースのようなデータベースを更新するかどうかを決定する。データベースを更新すると決定すると、関連データをデータベースにダウンロードし（工程４２３）、その後、工程４２５で後続処理を続けて行う。
【００２９】
上記の実施例の電源ソケット及び電器イベント検出方法としては、まず、信号フィルタにより信号濾過準則に応じて一部の電器イベントを除去することができ、マイクロプロセッサによりこれらの除去された電器に対して処理を行う必要がないため、プロセッサの作業負担を軽くし、識別効率を向上させることができる。また、管理者により自分で設定された電器イベントのデフォルトの組み合わせを通じて、管理者により注意された電器イベントに対して分析検出を行い、識別可能な電器種類を増加し、電器設備への監視を更に充実させ、電器の使用安全性を更に向上させることができる。
【符号の説明】
【００３０】
１００  電源ソケット
１０１  電源供給端
１０３  電源信号センサー
１０５  アナログデジタルコンバータ
１０７  前端信号フィルタ
１０９  メモリ
１１１  マイクロプロセッサ
１１３  周辺インタフェース装置
１１５  負荷電器設備
１１７  リモートサービスプラットフォーム
１１９  前端濾過データベース
１２１  電器信号データベース
２００  ソフトウェアモジュール
２０１  特性値抽出モジュール
２０３  イベント比較モジュール
２０５  イベント処理実行モジュール
２０７  特性値データベース
２０９  イベント処理ルールモジュール
２１１  ダウンロードモジュール
２１３  警告モジュール
２１５  アップロードモジュール
３０１  表示装置
４０１〜４２５  工程
【図１】
2015130778.tif 000011
【図２】
2015130778.tif 000012
【図３】
2015130778.tif 000013
【図４Ａ】
2015130778.tif 000014
【図４Ｂ】
2015130778.tif 000015
【図４Ｃ】
2015130778.tif 000016
【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
負荷に関わる少なくとも１つの電器イベントを監視する電源ソケットであって、
前記電器イベントによる電源信号に対して検知を行い、検知結果によって少なくとも１つの検知信号を生じる電源信号センサーと、
信号濾過準則を保存する前端濾過データベースと、
前記信号濾過準則に応じて、前記検知信号に対して選別を行って、前記検知信号を除去し又は保留するかを決定する前端信号フィルタと、
保留された前記検知信号に対して分析・識別を行い、保留された前記検知信号が電器イベントのデフォルトの組み合わせに対応するかどうかを判断し、検知信号が電器イベントの組み合わせに対応すると判断する場合、前記電源ソケットが制御作動を実行するように対応して命令するマイクロプロセッサと、
前記マイクロプロセッサに電気的に接続されるメモリと、
を備える電源ソケット。
【請求項２】
前記電源信号センサーに電気的に接続され、アナログ式の前記検知信号をデジタル式の前記検知信号に変換するアナログデジタルコンバータを更に備える請求項１に記載の電源ソケット。
【請求項３】
保留された前記検知信号を保存する電器イベントデータベースを更に備える請求項１または２に記載の電源ソケット。
【請求項４】
前記メモリに保存され、前記マイクロプロセッサによって実行されて、保留された前記検知信号から、少なくとも１つの被験特性値を抽出する特性値抽出モジュールと、
前記電器イベントのデフォルトの組み合わせに対応する特性データを保存する特性値データベースと、
前記メモリに保存され、前記マイクロプロセッサによって実行されて、前記被験特性値が前記電器イベントのデフォルトの組み合わせに対応するかどうかを比較するイベント比較モジュールと、
を更に備える請求項１から３の何れか１項に記載の電源ソケット。
【請求項５】
前記被験特性値とは、前記負荷に関わる前記電器イベントの実効電力、仮想電力、実効値、電圧特性、電流特性の少なくとも１つである請求項４に記載の電源ソケット。
【請求項６】
前記メモリに保存され、複数のイベント処理ルールを記憶するイベント処理ルールモジュールと、
前記メモリに保存され、前記マイクロプロセッサによって実行され、前記被験特性値が前記電器イベントのデフォルトの組み合わせに対応する場合、前記複数のイベント処理ルールに応じて前記電源ソケットが前記制御作動を実行するように対応して命令するイベント処理実行モジュールと、
を更に備える請求項４または５に記載の電源ソケット。
【請求項７】
リモートサービスプラットフォーム（Ｓｅｒｖｉｃｅ  Ｐｌａｔｆｏｒｍ）に連結されてデータ伝送を行う周辺インタフェース装置と、
前記メモリに保存され、前記マイクロプロセッサによって実行され、前記周辺インタフェース装置を通じて、データを前記特性値データベース、又は前記イベント処理ルールモジュールにダウンロードするダウンロードモジュールと、
前記メモリに保存され、前記マイクロプロセッサによって実行され、前記周辺インタフェース装置を通じて、保留された前記検知信号を前記リモートサービスプラットフォームにアップロードするアップロードモジュールと、
を更に備える請求項６に記載の電源ソケット。
【請求項８】
前記メモリに保存され、前記マイクロプロセッサによって実行され、前記イベント処理実行モジュールに制御されて警告動作を実行し、前記周辺インタフェース装置を通じて、通信情報を前記リモートサービスプラットフォームに伝送する警告モジュールを更に備える請求項７に記載の電源ソケット。
【請求項９】
負荷に関わる少なくとも１つの電器イベントによる少なくとも１つの電源信号に対して検知を行う工程と、
前端濾過データベースに信号濾過準則を保存する工程と、
前記信号濾過準則に応じて、前記電源信号の対応する検知信号に対して選別を行って、前記検知信号を除去し又は保留するかを決定する工程と、
保留された前記検知信号に対して分析・識別を行い、保留された前記検知信号が電器イベントのデフォルトの組み合わせに対応するかどうかを判断する工程と、
前記検知信号が前記電器イベントのデフォルトの組み合わせに対応すると判断する場合、電源ソケットが制御作動を実行するように命令する工程と、
前記検知信号が前記電器イベントのデフォルトの組み合わせに対応していないと判断する場合、作動しない工程と、
を含む電器イベント検出方法。
【請求項１０】
前記検知信号が前記電器イベントのデフォルトの組み合わせに対応する場合、複数のイベント処理ルールの１つに応じて前記電源ソケットが前記制御作動を実行するように命令する工程を更に含む請求項９に記載の電器イベント検出方法。
【請求項１１】
保留された前記検知信号から、少なくとも１つの被験特性値を抽出した後で、前記被験特性値が前記電器イベントのデフォルトの組み合わせに対応するかどうかを比較して、分析・識別を実行する請求項１０に記載の電器イベント検出方法。
【請求項１２】
前記電器イベントのデフォルトの組み合わせは、通常のファン起動、所定のファン起動、電灯起動、電子製品充電、電子調理器具起動、除湿器起動、クーラ起動、ヒーター起動の少なくとも１つを含む請求項１０または１１に記載の電器イベント検出方法。
【請求項１３】
前記信号濾過準則、前記複数のイベント処理ルール、前記電器イベントのデフォルトの組み合わせの関連情報、ハードウェア配置、ソフトウェア設定、ファームウェア設定、ビット列の少なくとも１つをダウンロードする工程と、
ネットワークを通じて前記信号濾過準則、前記複数のイベント処理ルール、前記電器イベントのデフォルトの組み合わせの関連情報、ハードウェア配置、ソフトウェア設定、ファームウェア設定、ビット列の少なくとも１つを、リモートサービスプラットフォームにアップロードする工程と、
を更に含む請求項１０から１２の何れか１項に記載の電器イベント検出方法。
【手続補正２】
【補正対象書類名】明細書
【補正対象項目名】０００７
【補正方法】変更
【補正の内容】
【０００７】
本発明の一実施例によると、電源ソケットは、負荷に関わる少なくとも１つの電器イベントを監視することに用いられる。この電源ソケットは、電源信号センサーと、前端濾過データベースと、前端信号フィルタと、マイクロプロセッサと、メモリと、を含有する。電源信号センサーは、電器イベントによる電源信号に対して検知を行い、検知結果によって少なくとも１つの検知信号を生じる。前端濾過データベースは信号濾過準則を保存する。前端信号フィルタは、信号濾過準則に応じて、検知信号に対して選別を行って、検知信号を除去し又は保留するかを決定する。マイクロプロセッサは、保留された検知信号に対して分析・識別を行い、保留された検知信号が電器イベントのデフォルトの組み合わせに対応するかどうかを判断する。マイクロプロセッサは、検知信号が電器イベントの組み合わせに対応すると判断する場合、電源ソケットが制御作動を実行するように対応して命令する。メモリは、マイクロプロセッサに電気的に接続される。
【手続補正３】
【補正対象書類名】明細書
【補正対象項目名】０００８
【補正方法】変更
【補正の内容】
【０００８】
本発明の別の実施例によると、電器イベント検出方法では、少なくとも１つの負荷に関わる少なくとも１つの電器イベントによる少なくとも１つの電源信号に対して検知を行い、前端濾過データベースに信号濾過準則を保存し、信号濾過準則に応じて、電源信号の対応する検知信号に対して選別を行って、検知信号を除去し又は保留するかを決定し、保留された検知信号に対して分析・識別を行い、保留された検知信号が電器イベントのデフォルトの組み合わせに対応するかどうかを判断し、検知信号が電器イベントのデフォルトの組み合わせに対応すると判断する場合、電源ソケットが制御作動を実行するように命令し、検知信号が電器イベントのデフォルトの組み合わせに対応していないと判断する場合、作動しない。